(57)【要約】【課題】電池消耗が進み、危険ゾーンに突入してからも、さらなる電池寿命の延命を得る。【解決手段】電池５１を電源として用いる受信装置において、前記電池の電池パワー残量を測定する手段５３と、前記電池パワー残量が所定値以上であるが所定値に近づいているときは、少なくとも警告表示機能をオンし、電池パワー残量が前記所定値を下回っているが残量があるときは、前記警告表示機能のオフ状態に放置する電池パワー延命手段４０とを備える。【選択図】      図１
2006019891.tif 000002
【特許請求の範囲】
【請求項１】
電池を電源として用いる受信装置であり、
前記電池の電池パワー残量を測定する手段と、
前記電池パワー残量が所定値以上であるが所定値に近づいているときは、少なくとも警告表示機能をオンする警告手段と、
前記電池パワー残量が前記所定値を下回っているが残量があるときは、前記警告表示機能をオフ状態に放置する電池パワー延命手段と
を具備したことを特徴とする放送受信装置。
【請求項２】
前記電池パワー残量が所定値以上であるが所定値に近づいているときは、データセーブ機能をオンする手段をさらに有し、
前記電池パワー延命手段は、
前記電池パワー残量が前記所定値を下回っているが残量があるときは、前記データセーブ機能をオフ状態に放置する手段を含むことを特徴とする請求項１記載の放送受信装置。
【請求項３】
前記警告手段は、キー操作により警告表示状態を警告消去状態に切り替え設定する手段を含むことを特徴とする請求項１記載の放送受信装置。
【請求項４】
前記警告手段は、ＡＣアダプタが検出されたときは、警告表示状態を警告消去状態に切り替え設定する手段を含むことを特徴とする請求項１記載の放送受信装置。
【請求項５】
前記警告手段は、一度警告表示を行い、この警告表示が警告消去状態に移された後は、ＡＣアダプタが接続されるまでは、警告表示を行わない手段を含むことを特徴とする請求項１記載の放送受信装置。
【請求項６】
前記電池パワー延命手段は、データセーブ機能と警告表示機能とをオフ機能に設定するための優先順位を有することを特徴とする請求項２記載の放送受信装置。
【請求項７】
給電が行われるアンテナと、
前記アンテナからの高周波信号が導かれるチューナと、
前記チューナで選局されて導出されたトランスポートストリーム（ＴＳ）及びエレメンタリーストリーム（ＥＳ）の信号を処理するＴＳ及びＥＳデコード部と、
前記ＴＳ及びＥＳデコード部からの放送データをデコードする付加データデコード部と、
前記ＴＳ及びＥＳデコード部からの放送ビデオデータをデコードするビデオデータデコード部と、
前記ＴＳ及びＥＳデコード部からの放送オーディオデータをデコードするオーディオデータデコード部と、
少なくともデコードされた放送データおよび放送ビデオデータを蓄積する不揮発性メモリと、
前記不揮発性メモリのデータを表示のために読み出すブラウザ機能と、
電池のパワー残量を測定する残量測定回路と、
設定データを記憶するための設定値記憶回路と、
前記電池パワー残量が所定値以上であるが所定値に近づいているときは、少なくとも警告表示機能をオンする警告手段と、
前記電池パワー残量が前記所定値を下回っているが残量があるときは、前記警告表示機能をオフ状態に放置する電池パワー延命手段と
を具備したことを特徴とする放送受信装置。
【発明の詳細な説明】
【技術分野】
【０００１】
この発明は、携帯型の放送受信装置に関するものであり、特に電源として使用している電池のパワーが低下したときの対策を図り、できるだけ電池使用時間を長くできるようにしたものである。
【背景技術】
【０００２】
静止軌道上の放送衛星または通信衛星を利用して、特定の地上サービスエリアに対し映像、音声、データなどの情報を放送する衛星放送システムが実現されている。この放送システムにおいて、モバイル放送も開始され、種々のサービス情報を提供できるようになった。
【０００３】
携帯型放送受信装置は、蓄積型データ放送を受信して放送データ及びビデオの表示を行うことができる。また携帯型放送受信装置は、電源として電池を使用するが、電力消費を抑制することが課題である。電力消費を抑制する方法としては、未使用時には、できるだけユーザによる電源オフを行うことが慣用である。
【０００４】
しかし電池寿命は永遠ではなく、いつかは電池パワーが低減してくる。このような場合、通常は、電池パワーが低減していることを、警告表示することが行われる。また電池パワーが低減してくる（危険ゾーンに近づく）と、通常は、電池パワーが残っているうちにデータセーブなどの処理が行われるようになっている。
【０００５】
例えば、特許文献１には、電池が消耗状態になると警告を表示する装置が開示されている。そして電池消耗状態が一定時間に達すると、データ管理用ＲＡＭに保存されているデータの一部をデータ保存用ＲＯＭに保存する手段が示されている。
【特許文献１】特開２００４−１２６７６６
【発明の開示】
【発明が解決しようとする課題】
【０００６】
しかし、ながら上記特許文献１に示された電池消耗時の対策では、電池使用時間の延命をはかるという対策が考慮されていない。
【０００７】
本発明の目的は、電池消耗が進み、危険ゾーンに突入してからも、さらなる電池寿命の延命を得ることができるようにした携帯型放送受信装置を提供することにある。
【課題を解決するための手段】
【０００８】
この発明は、電池を電源として用いる受信装置において、前記電池の電池パワー残量を測定する手段と、前記電池パワー残量が所定値以上であるが所定値に近づいているときは、少なくとも警告表示機能をオンする手段と、前記電池パワー残量が前記所定値を下回っているが残量があるときは、前記警告表示機能のオフ状態に放置する手段とを備えている。さらに、前記電池パワー残量が所定値以上であるが所定値に近づいているときは、データセーブ機能をオンする手段と、前記電池パワー残量が前記所定値を下回っているが残量があるときは、前記データセーブ機能オフ状態に放置する手段を含んでもよい。
【発明の効果】
【０００９】
上記手段によると、電池が消耗状態になると警告を表示する、電池消耗状態が一定時間に達するとデータ保存を行うのみならず、消耗状態であって、電池パワー残量が所定値を下回ると、警告機能もオフ、データセーブ機能もオフして電池消耗をできるだけ抑制し、電池の延命を図ることができる。
【発明を実施するための最良の形態】
【００１０】
以下、この発明の実施の形態を図面を参照して説明する。図１には、この発明が適用された携帯型放送受信装置の全体的な機能ブロック構成を示している。
【００１１】
アンテナ１１で受けられた高周波信号はチューナ１２に導かれる。チューナ１２は、制御部４０からの選局信号で1つのチャンネルであるトランスポートストリーム（以下ＴＳと略する）を選択する。このＴＳは、ＴＳ及びＥＳデコード部１４に導入される。このＴＳ及びＥＳデコード部１４では、トランスポートストリームの中の番組に相当するエレメントリーストリーム（以下ＥＳと略する）が選択される。ＴＳは、複数のＥＳを含んで伝送されているからである。ＥＳの選択、所謂番組選択も制御部４０からの番組選択情報に基づいて選択される。
【００１２】
制御部４０は、キー入力処理部４１からの選択キー情報を受け取り、上記のＴＳ選局、ＥＳ選択を行うことができる。キー入力処理部４１は、ユーザ操作に応答する部分である。
【００１３】
上記のＴＳ及びＥＳデコード部１４で分離されたオーディオデータは、オーディオデコーダ１５に入力されて、デコード処理される。オーディオデータは、圧縮処理されているために、その伸長処理が行われると共に、またデジタルアナログ変換処理が行われる。リニアＰＣＭのデータの場合は、リニアＰＣＭ復元処理が行われる。オーディオデコーダ１５の出力は、スピーカ１６に供給される。
【００１４】
また、放送された放送データは、データデコーダ１７に入力されて、例えばビットマップ方式のデコード処理を受ける。さらにまたビデオデータは、ビデオデコーダ１８に入力されて、例えばＭＰＥＧ４方式によりデコードされる。
【００１５】
データデコーダ１７で得られたデータは、蓄積のために不揮発性メモリ３１に供給される。また、ビデオデコーダ１８で得られた復調ビデオも、不揮発性メモリ３１に入力される。
【００１６】
不揮発性メモリ３１は、制御部４０により制御され、蓄積している蓄積データが読み出される。不揮発性メモリ３１から出力されたデータは、映像出力処理部１９で表示装置２０に整合した映像信号となり、表示装置２０に出力される。表示装置２０としては、液晶表示装置、発光素子を用いたＦＥＤなどがある。
【００１７】
図示していないが、デコードされたオーディオデータも不揮発性メモリ３１に蓄積されてもよいことは勿論である。またビデオデコーダ１８の出力が直接映像出力処理部１９に供給されてもよい。
【００１８】
不揮発性メモリ３１に蓄積されたビデオデータは、リアルタイム再生モードでは、順次読み出されて、表示装置２０及に供給される。この表示の間、順次番組が受信されてデコードされ、新規で更新すべきデータが、不揮発性メモリ３１に蓄積される。
【００１９】
５０は、電源回路であり、この電源回路５０は、電池５１からの電力を各部に対して適切な電位に変換している。電源回路５０の出力電圧は、対応するブロックに供給される。ここで、電源回路５０から得られる電力は、チューナ１２及びアンテナ１１にも給電されている。電源回路５０には、ＡＣ電源５２を接続することもできるが、これは例えば充電などを行う場合である。
【００２０】
電池５１の電池パワー残量は、残量測定回路５３により測定される。測定結果は、制御部４０の電源制御機能部で判定される。またＡＣ電源５２の接続、非接続は、ＡＣ電源検出回路５４により検出され、検出結果が制御部４０に送られる。
【００２１】
制御部４０には、設定値記憶回路４４も接続されている。この設定値記憶回路４４は、制御部４０の内部に組み込まれていてもよい。
【００２２】
この設定値記憶回路４４には、例えば、チャンネルを選択するために必要なチャンネルコード（受信信号から取り込まれる）、ユーザが調整したボリウムデータ、受信したチャンネルデータなどが存在する。
【００２３】
図２は、上記の装置の動作を説明するためのフローチャートである。このフローチャートは、特に本発明装置の特徴を説明できるように示している。このフローチャートに示される機能は、制御部４０のタイマーに基づき、定期的に起動される。最初は、警告画面表示中であるかどうかの判断が成される（ステップＳ１）。表示していなければ、ＡＣ電源（ＡＣアダプタ）に本装置が接続されているかどうかの判定が成される（ステップＳ２）。ＡＣ電源に接続されていない場合には、電池パワー残量が警告エリア内であり、所定値を下回っているかどうかの判定が成される（ステップＳ３）。
【００２４】
ここで、本発明では、警告エリアであるときは、データセーブ可、警告画面表示可の範囲とする。また、ここで所定値を下回っているときは、データセーブ、警告画面表示のために電力を配分するのではなく、むしろ電力温存・延命の方向で動作するようにしている。
【００２５】
電池パワー残量が警告エリア内であり、所定値を下回っていない場合は、警告をだしていないかどうかの判定を行い（ステップＳ４）、設定値を設定値記憶回路４４にセーブする（ステップＳ５）。そして警告画面を出す（ステップＳ６）。ステップＳ１−Ｓ６の動作は、電池パワーが、警告エリア内にあるときの動作であり、データセーブ可、警告画面表示行うようにしている。
【００２６】
ステップＳ２で、ＡＣ接続されていることが判断された場合、電池パワー残量が所定値を上回ったかどうかの判断が行われる（ステップＳ７）。電池パワー残量が所定値を上回っていなければ、警告エリアよりも下回っていると判別し、なにも処理を行わず終了し、電池パワー残量が所定値を上回っていれば、十分なパワーが蓄積されているとみなし、警告画面未表示にして終了する。
【００２７】
ステップＳ１で警告画面表示中であることが判断されたときは、ＡＣ接続されているかどうかの判別が行われる（ステップＳ９）。ＡＣ接続されているときは、十分なパワーが蓄積されているとみなし、製警告画面未表示にして終了する。ＡＣ接続されていないとき、なんらかのキーが押されたかどうかの判断が成される（ステップＳ１０）。キーが押された場合は、ユーザは、警告画面をみて、警告エリアにあることを認識したものとして、警告画面を未表示にして終了する。キーが押されない場合には、警告エリアにあり、警告画面をユーザは認識したものと判断し、今後は、電池パワー消耗を抑えることを目的とした動作に移行するために、終了する。
【００２８】
上記のフローチャートは、警告手段と電池パワー延命手段を含み、以下のような機能を発揮することができる。
【００２９】
警告手段は、電池パワー残量が所定値以上であるが所定値に近づいているときは、データセーブ機能をオンする。そして電池パワー延命手段は、電池パワー残量が所定値を下っているが残量があるときは、データセーブ機能オフ状態に放置する。また、警告手段は、キー操作により警告表示状態を消去状態に切り替え設定する手段を含むし、また警告手段は、ＡＣアダプタが検出されたときは、警告表示状態を消去状態に切り替え設定する手段を含む。
【００３０】
さらに上記フローチャートは、全体的には以下のような機能を備えている。警告手段が、一度警告表示を行い、この警告表示が消去状態に移された後は、ＡＣアダプタが接続されるまでは、警告表示行わないようになっている。
【００３１】
本発明によると、製品の案内情報として、電池使用時間を長く示すことが可能となる。従来であると、実際には、電池パワー残量が残っているにも係わらず、警告エリアになるまでの電池使用時間しか示すことができなかったが、これよりも長い時間を示すことができるようになる。
【００３２】
上記の説明は、警告表示、データセーブの動作と、電池パワー残量との関係で説明した。しかし本発明の技術は、上記の実施の形態に限定されるものではない。
【００３３】
図３には、電池パワーが時間と共に低下している様子を示している。ここで，電池パワー残量は、安全ゾーンから、所定値以上の警告エリア、危険ゾーンへ移行し、最後には零となる。ここで、電池を電源とする装置に合っては、安全ゾーンでは全機能ブロックがフル活動する。しかし、電池パワー残量が警告エリアに突入すると、警告画面を表示したり、さらには、データセーブを行うことができる。
【００３４】
この警告エリアを通過した後は、本発明は、「ユーザが電池消耗状態にあることを十分に認識している」との観点に立脚している。そこで、危険ゾーンに突入すると、電池パワー温存・延命モードになる。例えば、危険ゾーンであっても、電圧値が異なるので、その値に応じて、停止する機能に優先順位をつけておくのである。例えば停止機能の順位として、Ａ（警告画面），Ｂ（データセーブ），Ｃ（表示、バックライト），Ｄ（キー操作）というふうに順位を設定し、例えば音声のみを最後まで得られるようにするのである。
【００３５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３６】
【図１】本発明が適用された携帯型放送受信装置の一実施の形態を示す機能ブロック図。
【図２】本発明の特徴的な動作を説明するために示すフローチャート。
【図３】本発明の基本概念を示す説明図。
【符号の説明】
【００３７】
１１…アンテナ、１２…チューナ、１４…ＴＳ／ＴＥデコード部、１５…オーディオデコーダ、１６…スピーカ、１７…データデコーダ、１８…ビデオデコーダ、３１…不揮発性メモリ、４０…制御部、４１…キー入力処理部。
【図１】
2006019891.tif 000003
【図２】
2006019891.tif 000004
【図３】
2006019891.tif 000005